(57)【特許請求の範囲】
【請求項１】
下方開口の吸引口に回転ブラシを内蔵した床ノズル本体と、前記床ノズル本体の前後動に応じて前記吸引口と床面との距離を可変する可変手段を備え、前記可変手段を、一端が床ノズル本体に回動自在に支持され、他端に床面に接するとともに回動自在に取着された前輪を有するア−ム体で形成し、前記床ノズル本体を前方に押し出したときには前記床ノズル本体が下がり、前記床ノズル本体を後方に引いたときには前記床ノズル本体が上がる構成とした電気掃除機。
【請求項２】
下方開口の吸引口に回転ブラシを内蔵した床ノズル本体と、前記床ノズル本体の前後動に応じて前記吸引口と床面との距離を可変する可変手段を備え、前記可変手段を、前記床ノズル本体の下面に、床面に対し斜め状の長穴を配設し、前記長穴に回動自在の前輪を設け、前記床ノズル本体の前後進にあわせて、前記前輪を前記長穴の両端間を前後に摺動自在に形成し、前記床ノズル本体を前方に押し出したときには前記床ノズル本体が下がり、前記床ノズル本体を後方に引いたときには前記床ノズル本体が上がる構成とした電気掃除機。
【請求項３】
床面に対し斜め状の長穴の端部から、床面に対し略水平状の穴を形成させた請求項２記載の電気掃除機。
【発明の詳細な説明】
【０００１】
【発明の属する技術分野】
本発明は、一般家庭にて、吸込口に回転ブラシを有する電気掃除機に関するものである。
【０００２】
【従来の技術】
従来、この種の電気掃除機は、実開昭５９−７０６５３示すようになっていた。
【０００３】
以下、図９、図１０を用いて、従来の電気掃除機を説明する。集塵室１やモ−タ−２を内蔵する掃除機本体３の下部には、床ノズル本体４が具備されており、前記床ノズル本体４は、掃除機本体３の回動軸５を中心に、回動自在に取着されており、床ノズル本体４の吸込口６に回転ブラシ７が具備されている。
【０００４】
８は、前記回転ブラシ７と、前記回動軸５と同軸に位置する前記モ−タ−２の軸とを連結するベルトである。
【０００５】
前記床ノズル本体４の下面には、床面に当接した回動自在の略Ｌ字状ア−ム部材９で支持された前輪１０が設けられており、前記略Ｌ字状ア−ム部材９は、切換部材１１を回動させたり、または、摺動させることにより調整レバ−１２の端部に設けた凸部１３が、摺動部材１４の凹部１５に、嵌合したり乗り上げたりして摺動部材１４を上下に摺動させる。
【０００６】
前記摺動部材１４と連動している略Ｌ字状ア−ム部材９は、前記摺動部材１４が摺動することにより支持軸１６を中心に回動し、前記前輪１０の床面への突出代を変えて、前記ノズル本体４の回転ブラシ７と床面との距離を調整していた。
【０００７】
【発明が解決しようとする課題】
しかし、このような構成のものでは、カ−ペット等の被掃除面を掃除するとき、カ−ペットの毛足の長さや、種類により切換部材１１を手動で操作して、回転ブラシ７の高さ調整をする必要があり、手間がかかり使用性が悪かった。
【０００８】
また、前輪１０が床面より突出させた状態で使用する時は、吸込口６と床面との距離が大きくなるため、吸込口６と床面の吸い付き性がなくなり操作性が向上するが、一方集塵性能は低下する。
【０００９】
また、前輪１０が床面より突出させないようにして使用する時は、床ノズル本体４を前方に走行させたとき、床ノズル本体４の走行方向と回転ブラシ７の回転方向が同一ときは自走効果があり、操作性が向上するが、床ノズル本体４を後方に走行させたとき、床ノズル本体４の走行方向と回転ブラシ７の回転方向が逆になり、かつ、この時回転ブラシ７は反転しないため、カ−ペット等の被掃除面に余計に負荷を与え、カ−ペット等を損傷させることもあった。
【００１０】
そこで、本発明は上記問題点を解決しょうとするもので、掃除時に最適な状態に吸込口及び、回転ブラシが位置するようにし、操作性かつ、カ−ペット等の傷つきを防止させる使い勝手の良い電気掃除機を提供することを目的とする。
【００１１】
【課題を解決するための手段】
上記課題を解決するための本発明は、下方開口の吸引口に回転ブラシを内蔵した本体と、前記本体の前後動に応じて前記吸引口と床面との距離を可変する可変手段を備え、前記可変手段を、一端が床ノズル本体に回動自在に支持され、他端に床面に接するとともに回動自在に取着された前輪を有するア−ム体で形成し、前記床ノズル本体を前方に押し出したときには前記床ノズル本体が下がり、前記床ノズル本体を後方に引いたときには前記床ノズル本体が上がる構成としたもので、例えば本体の走行方向と回転ブラシの回転方向が同一の時に、可変手段で、前記吸引口と床面との距離を小さくすることにより、回転ブラシが掃除面に密着し、自走効果が発生し本体の操作力が軽減され操作性が向上するものである。また、本体の走行方向と回転ブラシの回転方向が逆になった時に、可変手段で、吸込口を床面から離すようにすると、回転ブラシによるカ−ペット等の損傷を防止すると共に、吸引力による本体の掃除面への吸着力が軽減され、操作性が向上するものである。
【００１２】
【発明の実施の形態】
本発明の請求項１記載の発明は、下方開口の吸引口に回転ブラシを内蔵した床ノズル本体と、前記床ノズル本体の前後動に応じて前記吸引口と床面との距離を可変する可変手段を備え、前記可変手段を、一端が本体に回動自在に支持され、他端に床面に接するとともに回転自在に取着された車輪を有するア−ム体で形成し、前記床ノズル本体を前方に押し出したときには前記床ノズル本体が下がり、前記床ノズル本体を後方に引いたときには前記床ノズル本体が上がる構成としたもので、例えば本体の走行方向と回転ブラシの回転方向が同一の時に、可変手段で、前記吸引口と床面との距離を小さくすることにより、回転ブラシが掃除面に密着し、自走効果が発生し本体の操作力が軽減され操作性が向上するものである。また、本体の走行方向と回転ブラシの回転方向が逆になった時に、可変手段で、吸込口を床面から離すようにすると、回転ブラシによるカ−ペット等の損傷を防止すると共に、吸引力による本体の掃除面への吸着力が軽減され、操作性が向上するものである。また、本体を走行させると、摩擦によってア−ム体の回動を促進させることができる。
【００１３】
本発明の請求項２記載の発明は、下方開口の吸引口に回転ブラシを内蔵した床ノズル本体と、前記床ノズル本体の前後動に応じて前記吸引口と床面との距離を可変する可変手段を備え、前記可変手段を、前記床ノズル本体の下面に、床面に対し斜め状の長穴を配設し、前記長穴に回動自在の車輪を設け、前記床ノズル本体の前後進にあわせて、前記前輪を前記長穴の両端間を前後に摺動自在に形成し、前記床ノズル本体を前方に押し出したときには前記床ノズル本体が下がり、前記床ノズル本体を後方に引いたときには前記床ノズル本体が上がる構成としたもので、例えば本体の走行方向と回転ブラシの回転方向が同一の時に、可変手段で、前記吸引口と床面との距離を小さくすることにより、回転ブラシが掃除面に密着し、自走効果が発生し本体の操作力が軽減され操作性が向上するものである。また、本体の走行方向と回転ブラシの回転方向が逆になった時に、可変手段で、吸込口を床面から離すようにすると、回転ブラシによるカ−ペット等の損傷を防止すると共に、吸引力による本体の掃除面への吸着力が軽減され、操作性が向上するものである。また、本体を走行させると、摩擦によって前輪の摺動を促進させ、本体を上下動自在にしたものである。
【００１４】
本発明の請求項３記載の発明は、床面に対し斜め状の長穴の端部より、床面に対し略水平状の穴を形成させていることにより、本体を前後に走行させた時、車輪は、略水平状の穴に位置し、容易に斜め状に設けた長穴部で途中止まりすることなく、確実に、本体を上下動自在にできるものである。
【００１５】
【実施例】
（実施例１）
以下、本発明の第１の実施例１を図１〜図５にもとづいて説明する。
【００１６】
掃除機本体１７の下方にモーター１８を内蔵するモーター室１９、モーター室１９の上方に、塵埃を捕集する集塵室２０が設けられ、また、この集塵室２０と連通し回転自在に設けられた吸気パイプ２１が、掃除機本体１７の後面上部に接続され、その吸気パイプ２１の一端で、集塵室２０側端部に紙袋２２が着脱自在に設けられておる。
【００１７】
また、吸気パイプ２１の他端には、ホ−ス２３が連通されている。集塵室２０の前方には、集塵室２０の開口部２４を覆う集塵室蓋２５が、後方には、ダストボックス２６が形成され、前記集塵室蓋２５の下方には、モ−タ−１８が内蔵されたモーター室１９が具備されている。
【００１８】
２７は、掃除機本体１７の後面下部に形成された走行用ローラーである。
【００１９】
掃除機本体１７の下部側面には、モーター１８の軸２８を回動中心２９として、下方開口に吸引口３０を有する床ノズル本体３１が回動自在に設けられている。吸引口３０は、ホ−ス２３を介し、吸気パイプ２１と連通されており、吸引口３０の上方には、塵埃をかきあげる回転ブラシ３２が具備されている。回転ブラシ３２のブラシ３３は、吸引口３０より突出するような長さに設定され、また、ベルト３４は回転ブラシ３２とモーター１８の軸２８にかけられ、回転ブラシ３２を一方向に回転させている。
【００２０】
床ノズル本体３１の下面には、凹部３５が形成されてり、この凹部３５の側壁３６に設けた支持軸３７に回動自在のア−ム体３８が連結され、床面に対し直角方向から鋭角方向に回動する。
【００２１】
また、アーム体３８の端部には、回動自在の前輪３９が設けられている。
【００２２】
上記構成より、図４において、仮に床ノズル本体３１を前方に押した時、回転ブラシ３２がＡ方向に回転している場合は、アーム体３８の前輪３９は床面に当接し、被掃除面との摩擦により、Ｂ方向（後方）に回動し、床ノズル本体３１がさがり、床ノズル本体３１の吸引口３０と床面が近接し集塵性能を向上させると同時に、回転ブラシ３２のブラシ３３は、吸引口３０より突出している為、回転ブラシ３２の回転力によって前方に移動する力が働き自走効果が得られ走行性が向上する。
【００２３】
また、逆に、床ノズル本体３１を後方に引いた時は、図５に示すように、アーム体３８の前輪３９は床面に当接し、被掃除面との摩擦により、Ｃ方向（前方）に回動し、床ノズル本体３１が上がり、床ノズル本体３１の吸引口３０と床面とが離れ、回転ブラシ３２のブラシ３３はカ−ペット等の被掃除面に余計な負荷を与なくなるため、カ−ペット等を損傷させることがなくなる。
【００２４】
従来は、手動によって、被掃除面に応じて、床ノズル本体３１の高さを調整していたが、上記の構成をとれば、床ノズル本体３１の高さを掃除機本体１７の走行方向に応じて自動的に行う為、余計な手間がなくなり操作性が向上する。
【００２５】
又、図２、図３に示すように、前輪３９を保持するアーム体３８の端部に２個の並行に設けられた凸リブ４０を形成し、この２個の並行に設けられた凸リブ４０に、略板状の補助板４１が圧入嵌合によって固着されている。
【００２６】
上記構成より、床面で、床ノズル本体３１を走行させたとき、補助板４１は、床面及び、カ−ペット等の凹凸面と当接し、摩擦力が大きくなり、アーム体３８の回動を促進させ、確実にアーム体３８を動作させることができる。
【００２７】
さらに、同図２、図３に示すように、アーム体３８が後方に回動したとき、補助板４２の端部は床面に当接した前輪３９の外周４２より突出しないように構成されている。
【００２８】
上記構成より、床面で、床ノズル本体３１を前後方向に走行させても、補助板４１の端部は、前輪３９の外周４２より内側に位置している為、補助板４１によって床面を傷付ける恐れが解消させる。
【００２９】
また、補助板４１を軟質塩化ビニール等の弾性部材で形成させることより、床面に対して摩擦力が大きくなりア−ム体３８の回動動作さをより促進させ、さらに、補助板４１が軟質塩化ビニ−ル等の弾性部材になっている為、床面及び、カーペット等の凹凸面に接しても傷つけることを防止させる。
【００３０】
（実施例２）
次に本発明の第２の実施例を、図６〜図８を用いて説明する。なお上記第１の実施例と同一構成部品については同一符号を付して、その説明を省略する。
【００３１】
上記第１の実施例では、可変手段を、一方の端部を床ノズル本体３１に回動自在に取着したアーム体８で形成したが、本実施例では、可変手段を、床ノズル本体３１の下面に設けられ、床面に対し斜め状４３の長穴４４と、この長穴４４に移動自在に設けられた軸４５と、前記軸４５に回転自在に取着された前輪３９とで形成したものである。
【００３２】
また、軸４５の端部は、長穴４４に一部係止されており、軸４５及び、前輪３９は、長穴４４を摺動自在に移動する。
【００３３】
上記構成より、実施例１で述べた構成と同等の効果が得られ、床ノズル本体３１の可変手段が容易に構成できる。
【００３４】
即ち、図７において、仮に床ノズル本体３１を前方に押した時、回転ブラシ３２がＡ方向に回転している場合は、前輪３９は床面に当接し、被掃除面との摩擦により、Ｂ方向（後方）に移動し、床ノズル本体３１がさがり、床ノズル本体３１の吸引口３０と床面が接し集塵性能を向上させると同時に、回転ブラシ３２のブラシ３３は、吸引口３０より突出している為、回転ブラシ３２の回転力によって前方に移動する力が働き自走効果が得られ走行性が向上する。
【００３５】
また、逆に、床ノズル本体３１を後方に引いた時は、図８において、前輪３９は床面に当接し、被掃除面との摩擦により、Ｃ方向（前方）に移動し、床ノズル本体３１が上がり、床ノズル本体３１の吸引口３０と床面とが離れ、回転ブラシ３２のブラシ３３はカーペット等の被掃除面に余計な負荷を与なくなるため、カーペット等を損傷させることがなくなる。
【００３６】
又、図６に示すように、床面に対し斜め状４３の長穴４４の端部より、床面に対し略水平状の穴４６が、長穴４４に連動されている。
【００３７】
上記構成より、床面で、床ノズル本体３１を走行させたとき、前輪３９は、床面及び、カーペット等の凹凸面に押され、略水平状の穴４６に位置し、斜め状４３の長穴４４に途中止りすることなく、確実に前輪３９の位置を保持することができる。
【００３８】
【発明の効果】
以上のように、本発明によれば、本体の走行方向に応じて、本体と床面との距離が調整され、床ノズル本体を自走させて操作性を向上させたり、回転ブラシによるカーペット等への損傷を軽減させることができるものである。
【００３９】
また、床面に接する抵抗によって本体の高さを簡単に調整できるとともに、ア−ム体の回動を促進させ、確実にア−ム体を回動させることができ信頼性が得られる。
【００４０】
また、本体の下面に、床面に対し斜め状の長穴を設け、この長穴に、前輪を配設させることにより、本体の走行方向に応じて、本体と床面との距離が調整され、床ノズル本体を自走させて操作性を向上させたり、回転ブラシによるカーペット等への損傷を軽減させることができるものである。さらに、構成が容易で、廉価にすることができる。
【００４１】
また、長穴の端部に設けた、略水平状の穴は、本体を前後に走行させた時、前輪を、略水平状の穴に位置させ、容易に斜め状に設けた長穴部で途中止まりすることなく、確実に、前輪の位置を保持させることができる。
【図面の簡単な説明】
【図１】  本発明の第１の実施例を示した電気掃除機の略主要部断面図
【図２】  同電気掃除機の部分側面図
【図３】  同電気掃除機の部分拡大図
【図４】  同電気掃除機が、前方に移動した時の動作図
【図５】  同電気掃除機が、後方に移動した時の動作図
【図６】  本発明の第２の実施例を示す電気掃除機の部分側面図
【図７】  同電気掃除機が、前方に移動した時の動作図
【図８】  同電気掃除機が、後方に移動した時の動作図
【図９】  従来例における電気掃除機の側面図
【図１０】  同電気掃除機の部分拡大図
【符号の説明】
１７  掃除機本体
３０  吸引口
３１  床ノズル本体
３２  回転ブラシ
３８  ア−ム体
３９  前輪
４１  補助板
４２  外周
４３  斜め状
４４  長穴
４６  略水平状の穴
【図１】
0004126783.tif 000002
【図２】
0004126783.tif 000003
【図３】
0004126783.tif 000004
【図４】
0004126783.tif 000005
【図５】
0004126783.tif 000006
【図６】
0004126783.tif 000007
【図７】
0004126783.tif 000008
【図８】
0004126783.tif 000009
【図９】
0004126783.tif 000010
【図１０】
0004126783.tif 000011